(57)【要約】【課題】液晶表示装置のＬＥＤを使用したバックライトの点灯制御回路に流れる電流の制限値をバックライトの点灯数に応じて適切にする。【解決手段】液晶パネルを照明するＬＥＤアレイが複数チャンネルあるバックライト３０、バックライト３０に電源を供給する昇圧回路１０１又は昇降圧回路１０１Ａ、及びバックライト３０の点灯制御を行うＬＥＤ駆動回路２０１を備えたＬＥＤ制御装置８１において、昇圧回路１０１又は昇降圧回路１０１Ａに設けられた過電流検知回路３の電流制限値を、チャンネル選択回路２１から出力されたチャンネル数を示す信号、ＬＥＤ電流値の検出値、或いはバックライト３０を点灯させる信号のデューティ比の検出値によって切り替えるようにし、過電流によるＬＥＤ制御装置８１の損傷を防止する。【選択図】図３
2011216663.tif 000002
【特許請求の範囲】
【請求項１】
複数のＬＥＤアレイに電圧を供給する電源回路と、前記ＬＥＤアレイの駆動制御を行うＬＥＤ駆動回路とを備えたＬＥＤ制御装置であって、
前記ＬＥＤ駆動回路は、過電流検知回路を有しており、
前記過電流検知回路は、前記ＬＥＤ駆動回路によるＬＥＤアレイの駆動制御の内容に基づいて電流制限値を切り替えることを特徴とするＬＥＤ制御装置。
【請求項２】
前記ＬＥＤ駆動回路は、駆動させるＬＥＤアレイを選択する選択回路を有し、
前記過電流検知回路は、前記選択回路が選択したＬＥＤアレイの数に基づいて前記電流制限値を切り替えることを特徴とする請求項１に記載のＬＥＤ制御装置。
【請求項３】
前記ＬＥＤ駆動回路は、前記ＬＥＤアレイに供給する電流値を設定する電流値設定回路を有し、
前記過電流検知回路は、前記電流値設定回路が設定した電流値に基づいて前記電流制限値を切り替えることを特徴とする請求項１に記載のＬＥＤ制御装置。
【請求項４】
前記ＬＥＤ駆動回路は、前記ＬＥＤアレイを駆動させる信号のデューティを検出するデューティ検出回路を有し、
前記過電流検知回路は、前記デューティ検出回路が検出したデューティに基づいて前記電流制限値を切り替えることを特徴とする請求項１に記載のＬＥＤ制御装置。
【請求項５】
前記ＬＥＤ駆動回路は、駆動させるＬＥＤアレイを選択する選択回路と、前記ＬＥＤアレイに供給する電流値を設定する電流値設定回路と、前記ＬＥＤアレイを駆動させる信号のデューティを検出するデューティ検出回路とを有し、
前記過電流検知回路は、前記選択回路が選択したＬＥＤアレイの数と、前記電流値設定回路が設定した電流値と、前記デューティ検出回路が検出したデューティとに基づいて前記電流制限値を切り替えることを特徴とする請求項１に記載のＬＥＤ制御装置。
【請求項６】
請求項１から５の何れか１項に記載のＬＥＤ制御装置を備えた液晶表示装置。
【発明の詳細な説明】
【技術分野】
【０００１】
本発明はＬＥＤ制御装置及び該装置を備えた液晶表示装置に関し、特に、複数チャンネルのＬＥＤアレイを発光制御する電源回路とＬＥＤ駆動回路とを備えたＬＥＤ制御装置及び該装置を備えた液晶表示装置に関する。
【背景技術】
【０００２】
従来、液晶表示器を備えた電子機器には、液晶自体に発光機能がないので、液晶を背面側から照明するバックライトと呼ばれる照明装置が搭載されている。そして、このバックライトとして発光ダイオード（ＬＥＤ）が使用されている。
【０００３】
図１（ａ）は、それぞれ７個のＬＥＤを有するＬＥＤアレイ３１〜３４を備えた光源３００を駆動するこれまでのＬＥＤ制御装置８００の、具体的な構成の一例を示すものである。ＬＥＤ制御装置８００には、昇圧回路１００とＬＥＤ駆動回路２００がある。光源３００は、液晶パネルのバックライトとして使用される。この例では、光源３００は４チャンネルのＬＥＤアレイ３１〜３４から構成されており、ＬＥＤアレイ３１〜３４のアノード側は結合されて昇圧回路１００の電源供給端子１０Ｅに接続されている。また、ＬＥＤアレイ３１〜３４のカソード側はそれぞれＬＥＤ駆動回路２００の４つの制御端子Ｔ１〜Ｔ４に接続されている。
【０００４】
昇圧回路１００は、入力電源ＶＩＮを昇圧し、ＬＥＤアレイ３１〜３４を駆動するための電源を電源供給端子１０Ｅに供給するものである。よって、昇圧回路１００は、インダクタ１１、ダイオード１２、コンデンサ１３、Ｎチャンネルのトランジスタ１４及びトランジスタ１４をスイッチングするパルス幅変調（ＰＷＭ）制御器１５を備えた昇圧型のＤＣ−ＤＣコンバータである。ＤＣ−ＤＣコンバータの動作原理は公知であるのでここでは説明しない。
【０００５】
また、この例の昇圧回路１００には、トランジスタ１４の一方の端子（ソース）とグランドとの間に過電流検知回路１が設けられている。過電流検知回路１は、反転入力に基準電圧発生源ＶＡが与えられたコンパレータ１６と、固定抵抗ＲＫとから構成されている。固定抵抗ＲＫの一端はトランジスタ１４とコンパレータ１６の非反転入力に接続され、他端はグランドに接続されている。また、コンパレータ１６の出力端子はＰＷＭ制御器１５に接続されている。更に、昇圧回路１００には、基準電圧ＶＢが設定されたエラーアンプ１７がある。
【０００６】
昇圧回路１００を流れる電流が通常の範囲である場合には、固定抵抗ＲＫを流れる電流による固定抵抗ＲＫの両端部の電圧降下が基準電圧ＶＡ未満である。従って、このときはコンパレータ１６から過電流検出信号が出ず、ＰＷＭ制御器１５はトランジスタ１４のスイッチングを継続する。一方、昇圧回路１００に過電流が流れた場合は、固定抵抗ＲＫを流れる電流による固定抵抗ＲＫの両端部の電圧降下が基準電圧ＶＡを越える。従って、このときはコンパレータ１６から過電流検出信号が出てＰＷＭ制御器１５に入力される。この信号によりＰＷＭ制御器１５はトランジスタ１４のスイッチングを停止するので、トランジスタ１４、インダクタ１１、ダイオード１２に過電流が流れて破壊されるのを防止することができる。
【０００７】
ＬＥＤ駆動回路２００はＬＥＤアレイ３１〜３４の点灯を制御するものであり、制御端子Ｔ１〜Ｔ４にそれぞれ接続されたスイッチＳ１〜Ｓ４と電流回路Ｉ１〜Ｉ４とを備えている。４つのスイッチＳ１〜Ｓ４はチャンネル選択回路２１によって選択される。また、ＬＥＤ駆動回路２００には外部からデューティ信号が入力されるＰＷＭ調光回路２２がある。ＰＷＭ調光回路２２はチャンネル選択回路２１によって選択されたスイッチのみにデューティ信号を印加してスイッチングする。即ち、ＰＷＭ調光回路２２からのデューティ信号がハイレベルの時にスイッチが閉じ、閉じたスイッチに接続するＬＥＤアレイが点灯する。逆に、ＰＷＭ調光回路２２からのデューティ信号がローレベルの時にスイッチが開き、開いたスイッチに接続するＬＥＤアレイが消灯する。このように、ＰＷＭ調光は、デューティ信号のハイレベル時にスイッチを閉じてＬＥＤアレイの輝度を変化させるものである。
【０００８】
電流回路Ｉ１〜Ｉ４はＬＥＤアレイ３１〜３４の輝度を調節するものであり、ＬＥＤ電流値設定回路２３によってＬＥＤ電流値が設定される。また、前述のデューティ信号によってもＬＥＤアレイの輝度が調節される。そして、４つのスイッチＳ１〜Ｓ４と制御端子Ｔ１〜Ｔ４との間の回路は、それぞれ昇圧回路１００のエラーアンプ１７に接続されている。昇圧回路１００は、ＬＥＤアレイ３１〜３４の下流側の電圧のうち、電圧が一番低い列の下流側の電圧が一定の電圧ＶＢになるように電源供給端子１０Ｅの電圧を制御する。即ち、ＬＥＤアレイ３１〜３４の下流側電圧のうち、電圧が一番低い列の下流側電圧が一定電圧ＶＢになるように、エラーアンプ１７がＰＷＭ制御回路１５のデューティを制御する。また、この例のように、ＬＥＤアレイ３１〜３４を構成するＬＥＤの数が７個の場合には、昇圧回路１００は電源供給端子１０Ｅの電圧を２２Ｖ程度に制御する。
【０００９】
一方、図１（ｂ）は、昇降圧回路１００Ａを備える場合のＬＥＤ制御装置８０１の具体的な構成の一例を示すものである。ＬＥＤ制御装置８０１においては、ＬＥＤ駆動回路２００は昇圧回路１００を備えるＬＥＤ制御装置８００と同じである。この例の光源３０１も、液晶パネルを照明するバックライトとして使用され、ＬＥＤアレイ３１’〜３４’に含まれるＬＥＤの数は５個である。ＬＥＤ駆動回路２００の構成は図１（ａ）で説明したのでここでは説明しない。
【００１０】
昇降圧回路１００Ａは、入力電源ＶＩＮを昇圧し、ＬＥＤアレイ３１’〜３４’を駆動するための電源を電源供給端子１０Ｅに供給する昇降圧型のＤＣ−ＤＣコンバータである。よって、昇降圧回路１００Ａには、インダクタ１１、ダイオード１２、コンデンサ１３及びトランジスタ１４（Ｐチャンネルのトランジスタが使用されているが、トランジスタはＰチャンネルでもＮチャンネルでも良い）に加えて、第２のダイオード１８と第２のトランジスタ１９があり、ＰＷＭ制御器１５は２つのトランジスタ１４，１９をスイッチング制御する。昇降圧型のＤＣ−ＤＣコンバータの動作原理も公知であるのでここでは説明しない。
【００１１】
また、この例の昇降圧回路１００Ａには、トランジスタ１４の一方の端子（ソース）と入力電源ＶＩＮとの間に過電流検知回路２が設けられている。過電流検知回路２は、非反転入力に基準電圧ＶＣが与えられたコンパレータ１６と、固定抵抗ＲＫとから構成されている。固定抵抗ＲＫの一端はトランジスタ１４とコンパレータ１６の反転入力に接続され、他端は入力電源ＶＩＮに接続されている。また、コンパレータ１６の出力端子はＰＷＭ制御器１５に接続されている。更に、昇降圧回路１００Ａには、基準電圧ＶＢが設定されたエラーアンプ１７がある。
【００１２】
昇降圧回路１００Ａを流れる電流が通常の範囲である場合には、固定抵抗ＲＫを流れる電流による固定抵抗ＲＫの両端部の電圧降下が基準電圧ＶＣ未満である。従って、このときはコンパレータ１６から過電流検出信号が出ず、ＰＷＭ制御器１５はトランジスタ１４、１９のスイッチングを継続する。一方、昇降圧回路１００Ａを過電流が流れた場合は、固定抵抗ＲＫを流れる電流による固定抵抗ＲＫの両端部の電圧降下が基準電圧ＶＣを越える。従って、このときはコンパレータ１６から過電流検出信号が出てＰＷＭ制御器１５に入力される。この信号によりＰＷＭ制御器１５はトランジスタ１４、１９のスイッチングを停止するので、トランジスタ１４、インダクタ１１、ダイオード１２、１８に過電流が流れて破壊されるのを防止することができる。
【００１３】
なお、前述のＬＥＤ駆動装置の制御と同様の技術として、ＬＥＤアレイの過電流検出回路の過電流検出レベルを補助電源動作時と不動作時で切替えるようにした技術が特許文献１に開示されている。
【先行技術文献】
【特許文献】
【００１４】
【特許文献１】特開２００９−２６８３０２
【発明の概要】
【発明が解決しようとする課題】
【００１５】
図１（ａ）、（ｂ）に示した光源３００，３０１を構成するＬＥＤアレイ３１〜３４,３１’〜３４’は、照明する液晶パネルの規模によって、全て使用する場合（バックライトの輝度が大きい場合）と、４チャンネルのうちのいくつかのチャンネルを使用する場合（バックライトの輝度が小さい場合）がある。そこで、バックライトの輝度が小さい場合に、過電流検知回路の検知電流値はＬＥＤアレイ３１〜３４、３１’〜３４’を全て使用する場合の値のままで、ＤＣ−ＤＣコンバータ側の回路部品に容量の小さな部品を使用すると、過電流検知回路の検知電流値以下の電流値ではあるが、ＤＣ−ＤＣコンバータ側の回路部品の容量を超える場合があり、この場合には回路部品が損傷し、液晶表示装置に不具合が発生する可能性があった。
【００１６】
一方、過電流検知回路の検知電流値はＬＥＤアレイを全て使用する場合の値にし、ＤＣ−ＤＣコンバータ側の回路部品の容量を、ＬＥＤ駆動回路２００のＰＷＭ調光回路２２がデューティ比１００％で動作しても電流供給が可能なように大きくすると、定格電流の高い高価な部品を使用することになり、液晶表示装置の回路規模が大きくなると共に、使用するＬＥＤアレイのチャンネル数が少ない場合や電流値が低い場合には、コストが高くなるという問題点があった。
【００１７】
そこで、本発明は、過電流検知回路に電流制限値切替機能を設け、選択されたＬＥＤアレイの動作チャンネル数に応じて、過電流検知回路の電流制限値を複数段に切り替えることにより、安全性が高く、且つ低コストの電源供給回路とＬＥＤ駆動回路とを備えたＬＥＤ制御装置及び該装置を備えた液晶表示装置を提供することを目的としている。
【課題を解決するための手段】
【００１８】
前記目的を達成する本発明に係るＬＥＤ制御装置の基本形態は、複数のＬＥＤアレイに電圧を供給する電源回路と、ＬＥＤアレイの駆動制御を行うＬＥＤ駆動回路とを備えたＬＥＤ制御装置であって、ＬＥＤ駆動回路は過電流検知回路を有しており、過電流検知回路はＬＥＤ駆動回路によるＬＥＤアレイの駆動制御の内容に基づいて電流制限値を切り替えることを特徴としている。
【００１９】
ＬＥＤ駆動回路が、駆動させるＬＥＤアレイを選択する選択回路を有する第１の形態では、過電流検知回路は、選択回路が選択したＬＥＤアレイの数に基づいて電流制限値を切り替えることができる。また、ＬＥＤ駆動回路が、ＬＥＤアレイに供給する電流値を設定する電流値設定回路を有する第２の形態では、過電流検知回路は、電流値設定回路が設定した電流値に基づいて前記電流制限値を切り替えることができる。更に、ＬＥＤ駆動回路が、ＬＥＤアレイを駆動させる信号のデューティを検出するデューティ検出回路を有する第３の形態では、過電流検知回路は、デューティ検出回路が検出したデューティに基づいて電流制限値を切り替えることができる。
【００２０】
更にまた、ＬＥＤ駆動回路が、駆動させるＬＥＤアレイを選択する選択回路と、ＬＥＤアレイに供給する電流値を設定する電流値設定回路と、ＬＥＤアレイを駆動させる信号のデューティを検出するデューティ検出回路とを有する第４の形態では、過電流検知回路は、選択回路が選択したＬＥＤアレイの数と、電流値設定回路が設定した電流値と、デューティ検出回路が検出したデューティとに基づいて電流制限値を切り替えることができる。
【００２１】
また、前記目的を達成する本発明に係るＬＥＤ制御装置を備えた液晶表示装置は、前述の基本形態、或いは第１から第４の何れかの形態を備えた液晶表示装置であることを特徴としている。
【発明の効果】
【００２２】
本発明に係るＬＥＤ駆動装置及び該装置を備えた液晶表示装置によれば、選択されたＬＥＤアレイの動作チャンネル数に応じて、過電流検知回路の電流制限値を複数階に切り替えることができるので、安全性が高く、且つ低コストのＬＥＤ駆動装置及び該装置を備えた液晶表示装置を提供することができる。
【図面の簡単な説明】
【００２３】
【図１】（ａ）は従来の複数チャンネルのＬＥＤアレイを用いた光源を駆動するためのＬＥＤ制御装置の一例の構成を示す回路図、（ｂ）は従来の複数チャンネルのＬＥＤアレイを用いた光源を駆動するためのＬＥＤ制御装置の変形例の構成を示す回路図である。
【図２】本発明に係るＬＥＤ制御装置が適用される一般的な液晶表示装置の構成を示すブロック構成図である。
【図３】（ａ）は本発明に係るＬＥＤ制御装置の第１の実施例の構成を示す回路図、（ｂ）は本発明に係るＬＥＤ制御装置の第１の実施例の変形例の構成を示す回路図である。
【図４】（ａ）は図３（ａ）に示した本発明に係るＬＥＤ制御装置における、ＬＥＤバックライトを駆動するための昇圧回路とＬＥＤ駆動回路の具体的な回路の一例を示す回路図、（ｂ）は電流制限値切替の制御例を示すテーブルである。
【図５】図３（ｂ）に示した本発明に係るＬＥＤ制御装置における、ＬＥＤバックライトを駆動するための昇降圧回路とＬＥＤ駆動回路の具体的な回路の一例を示す回路図である。
【図６】本発明に係るＬＥＤ制御装置の第２の実施例の構成を示す回路図である。
【図７】図６に示した本発明に係るＬＥＤ制御装置における、ＬＥＤバックライトを駆動するための昇圧回路とＬＥＤ駆動回路の具体的な回路の一例を示す回路図である。
【図８】本発明に係るＬＥＤ制御装置の第３の実施例の構成を示す回路図である。
【図９】（ａ）は図８に示した本発明に係るＬＥＤ制御装置における、ＬＥＤバックライトを駆動するための昇圧回路とＬＥＤ駆動回路の具体的な回路の一例を示す回路図、（ｂ）は（ａ）の変形例を示す部分回路図である。
【図１０】本発明に係るＬＥＤ制御装置の第４の実施例の構成を示す回路図である。
【図１１】図１０に示した本発明に係るＬＥＤ制御装置における、ＬＥＤバックライトを駆動するための昇圧回路とＬＥＤ駆動回路の具体的な回路の一例を示す回路図である。
【図１２】（ａ）は本発明に係るＬＥＤ制御装置の第５の実施例の構成を示す回路図、（ｂ）は（ａ）に示した昇圧回路とＬＥＤ駆動回路の制御例を示すテーブルである。
【発明を実施するための形態】
【００２４】
以下、添付図面を用いて本発明に係る実施の形態を、具体的な実施例に基づいて詳細に説明する。なお、図１（ａ）、（ｂ）で説明した従来のＬＥＤ制御装置８００，８０１に使用された部材と同じ部材については、同じ符号を付して説明する。
【００２５】
図２は、本発明を適用可能な液晶表示装置５０の構成を示すものである。液晶表示装置５０には、画像を表示する液晶パネル４０、液晶パネル４０を照明する光源であるＬＥＤバックライト３０、及び電源供給回路である昇圧回路１０とＬＥＤ駆動回路２０とから構成される本発明のＬＥＤ制御装置８０がある。なお、以後の実施例の説明では、ＬＥＤ制御装置８０の第１の実施例をＬＥＤ制御装置８１、第２の実施例をＬＥＤ制御装置８１のように、実施例毎にＬＥＤ制御装置８０の符号を異ならせて説明する。
【００２６】
図３（ａ）は本発明に係る第１の実施例のＬＥＤ制御装置８１である、ＬＥＤバックライト３０を駆動するための昇圧回路１０１とＬＥＤ駆動回路２０１の構成を示すものである。第１の実施例では液晶パネル４０の図示は省略してある。第１の実施例では、バックライト３０は４チャンネルのＬＥＤアレイ３１〜３４から構成されており、ＬＥＤアレイ３１〜３４のアノード側は結合されて昇圧回路１０１の電源供給端子１０Ｅに接続されている。また、ＬＥＤアレイ３１〜３４のカソード側はそれぞれＬＥＤ駆動回路２０１の４つの制御端子Ｔ１〜Ｔ４に接続されている。
【００２７】
昇圧回路１０１は、入力電源ＶＩＮを昇圧し、ＬＥＤアレイ３１〜３４を駆動するための電源を電源供給端子１０Ｅに供給するものであり、インダクタ１１、ダイオード１２、コンデンサ１３、トランジスタ１４（Ｎチャンネルのトランジスタが使用されているが、Ｐチャンネルのトランジスタも使用でき、これは以後の実施例でも同様である）、及びトランジスタ１４をスイッチングするＰＷＭ制御器１５を備えた昇圧型のＤＣ−ＤＣコンバータである。ＤＣ−ＤＣコンバータの動作原理は公知であるのでここでは説明しない。
【００２８】
第１の実施例の昇圧回路１０１には、トランジスタ１４のソースとグランドとの間に過電流検知回路３が設けられており、この過電流検知回路３の構成は図１（ａ）で説明した従来の過電流検知回路１と異なる。過電流検知回路３は、反転入力に基準電圧発生源ＶＡが与えられたコンパレータ１６と、電流制限値切替抵抗ＲＶとから構成されている。電流制限値切替抵抗ＲＶの一端はトランジスタ１４のソースとコンパレータ１６の非反転入力に接続され、他端はグランドに接続されている。また、コンパレータ１６の出力端子はＰＷＭ制御器１５に接続されている。更に、昇圧回路１０１には、基準電圧ＶＢが設定されたエラーアンプ１７がある。
【００２９】
ＬＥＤ駆動回路２０１には、制御端子Ｔ１〜Ｔ４にそれぞれ接続されたスイッチＳ１〜Ｓ４と電流回路Ｉ１〜Ｉ４とがある。４つのスイッチＳ１〜Ｓ４はチャンネル選択回路２１によって選択され、選択されたスイッチにのみＰＷＭ調光回路２２からのデューティ信号が印加されてスイッチがオンオフし、デューティ信号がオンの時に閉じたスイッチに接続するＬＥＤアレイが点灯する。逆に、ＰＷＭ調光回路２２からのデューティ信号がオフの時は、開いたスイッチに接続するＬＥＤアレイが消灯する。
【００３０】
ＬＥＤアレイ３１〜３４の輝度を調節する電流回路Ｉ１〜Ｉ４は、ＬＥＤ電流値設定回路２３によってＬＥＤ電流値が設定される。また、前述のデューティ信号によってもＬＥＤアレイの輝度が調節される。そして、昇圧回路１０１は、ＬＥＤアレイ３１〜３４の下流側の電圧が一定の電圧になるように電源供給端子１０Ｅの電圧を制御する。ＬＥＤアレイ３１〜３４を構成するＬＥＤの数が７個の場合には、電源供給端子１０Ｅの電圧を２２Ｖ程度に制御する。更に、４つのスイッチＳ１〜Ｓ４の電流回路Ｉ１〜Ｉ４側の端子は、昇圧回路１０１のエラーアンプ１７に接続されている。
【００３１】
ここで、第１の実施例の昇圧回路１０１に設けられた過電流検知回路３の構成について説明する。従来のＬＥＤ制御装置８０における過電流検知回路１では、コンパレータ１６の非反転入力とグランド間に接続された抵抗の値が固定であった。これに対して、第１の実施例では、コンパレータ１６の非反転入力とグランド間には可変抵抗である電流制限値切替抵抗ＲＶが接続されている。電流制限値切替抵抗ＲＶは、具体的な構成は後述するが、ＬＥＤ駆動回路２０１のチャンネル選択回路２１によって選択されたＬＥＤアレイ３１〜３４の動作チャンネル数に応じて電流制限値を２段階または複数段階に切り替えることができるようになっている。
【００３２】
ここで、電流制限値を２段階に変更することができる電流制限値切替抵抗ＲＶを具体的な回路に置き換えた例を、図４（ａ）を用いて説明する。図４（ａ）に示す過電流検知回路３では、電流制限値切替抵抗ＲＶが、第１の抵抗Ｒ１と、第２の抵抗Ｒ２と電子スイッチＳＷ１の直列回路が、並列に接続された構成となっている。電子スイッチＳＷ１はトランジスタで構成されており、ＬＥＤ駆動回路２０１にあるチャンネル選択回路２１からの電流制限値切替信号によりオンオフされる。
【００３３】
図４（ａ）に示した電流検知回路３では、電子スイッチＳＷ１がオフの時は、電流制限値切替抵抗ＲＶの値が第１の抵抗Ｒ１の抵抗値と同じになり、電子スイッチＳＷ１がオンの時は、電流制限値切替抵抗ＲＶの値が第１の抵抗Ｒ１と第２の抵抗Ｒ２を並列接続した抵抗値と同じになる。よって、電子スイッチＳＷ１がオンの時は、電子スイッチＳＷ１がオフの時よりも電流制限値切替抵抗ＲＶの値が小さくなる。このため、電子スイッチＳＷ１がオンの時は、大きな電流が電流制限値切替抵抗ＲＶに流れないとコンパレータ１６からは過電流検出信号が出ないが、電子スイッチＳＷ１がオフの時は、小さな電流でも電流制限値切替抵抗ＲＶの電圧降下が大きくなり、コンパレータ１６から過電流検出信号が出てＰＷＭ制御器１５に入力されることになる。
【００３４】
図４（ｂ）はチャンネル選択回路２１に入力される２つのチャンネル選択信号ＳＥＬ１とＳＥＬ２の値、チャンネル選択信号ＳＥＬ１とＳＥＬ２の値に応じたＬＥＤアレイ３１〜３４の動作状態（ＬＥＤアレイ３１〜３４はｃｈ１〜ｃｈ４に対応）、このときの電子スイッチＳＷ１のオンオフ状態、及び電流制限値切替抵抗ＲＶの電流制限値の値を示すものである。ただし、この例では第１と第２の抵抗Ｒ１，Ｒ２の抵抗値は等しいものとしてある。
【００３５】
図４（ｂ）に示される制御では、チャンネル選択信号ＳＥＬ１とＳＥＬ２が共に”Ｌ”の場合はＬＥＤアレイ３１のみが動作し、他のＬＥＤアレイ３２〜３４は全て動作を停止している。このときは電子スイッチＳＷ１もオフ（ＯＦＦ）で、電流制限値（Ｉｌｉｍ／２）は小さな値である。チャンネル選択信号ＳＥＬ１、ＳＥＬ２がそれぞれ”Ｌ”、”Ｈ”の場合はＬＥＤアレイ３１、３２が動作し、他のＬＥＤアレイ３３、３４は動作を停止している。このときは電子スイッチＳＷ１もオフで、電流制限値（Ｉｌｉｍ／２）は小さな値である。一方、チャンネル選択信号ＳＥＬ１、ＳＥＬ２がそれぞれ”Ｈ”、”Ｌ”の場合はＬＥＤアレイ３１〜３３が動作し、ＬＥＤアレイ３４のみが動作を停止している。このときは電子スイッチＳＷ１がオン（ＯＮ）で、電流制限値（Ｉｌｉｍ）は大きな値となる。また、チャンネル選択信号ＳＥＬ１とＳＥＬ２が共に”Ｈ”の場合はＬＥＤアレイ３１〜３４が全て動作し、電子スイッチＳＷ１もオンで、電流制限値（Ｉｌｉｍ）は大きな値である。
【００３６】
このように、第１の実施例では、バックライト３０のＬＥＤアレイを３〜４チャンネル動作させる場合の電流制限値をＩｌｉｍとすると、バックライト３０のＬＥＤアレイを１〜２チャンネル動作させる場合の電流制限値をＩｌｉｍ／２に切り替えることができ、バックライト３０のＬＥＤアレイの動作チャンネル数に応じて電流制限値を切り替えることができる。なお、バックライト３０には４チャンネルのＬＥＤアレイがあるので、電子スイッチＳＷ１と抵抗の直列回路の数を増やして４段階以上に切り替えることも可能である。
【００３７】
図３（ｂ）は本発明に係る第１の実施例の変形例のＬＥＤ制御装置８１Ａを示すものであり、液晶パネル４０の図示は省略してある。ＬＥＤ制御装置８１Ａにおいては、光源であるバックライト３０Ａを構成するＬＥＤアレイ３１’〜３４’に含まれるＬＥＤの数が５個である。また、ＬＥＤバックライト３０を駆動するためのＬＥＤ駆動回路２０１は第１の実施例と同じである。よって、ここでは昇降圧回路１０１Ａの構成のみ説明する。
【００３８】
昇降圧回路１０１Ａは、入力電源ＶＩＮを昇圧し、ＬＥＤアレイ３１’〜３４’を駆動するための電源を電源供給端子１０Ｅに供給する昇降圧型のＤＣ−ＤＣコンバータである。よって、昇降圧回路１０１Ａには、インダクタ１１、ダイオード１２、コンデンサ１３及びトランジスタ１４に加えて、第２のダイオード１８と第２のトランジスタ１９があり、ＰＷＭ制御器１５は２つのトランジスタ１４，１９をスイッチング制御する。昇降圧型のＤＣ−ＤＣコンバータの動作原理も公知であるのでここでは説明しない。トランジスタ１４，１９の型もこの実施例に限定されるものではなく、これは以後の昇降圧回路でも同様である。
【００３９】
また、昇降圧回路１０１Ａには、トランジスタ１４のソースと入力電源ＶＩＮとの間に過電流検知回路４が設けられている。過電流検知回路４は、非反転入力に基準電圧発生源ＶＣが与えられたコンパレータ１６と、電流制限値切替抵抗ＲＶとから構成されている。電流制限値切替抵抗ＲＶの一端はトランジスタ１４とコンパレータ１６の反転入力に接続され、他端は入力電源ＶＩＮに接続されている。また、コンパレータ１６の出力端子はＰＷＭ制御器１５に接続されている。更に、昇降圧回路１０１Ａには、基準電圧ＶＢが設定されたエラーアンプ１７がある。
【００４０】
ここで、昇降圧回路１０１Ａに設けられた過電流検知回路４の構成について説明する。従来のＬＥＤ制御装置８０１における過電流検知回路２では、コンパレータ１６の反転入力と入力電源ＶＩＮとの間に接続された抵抗ＲＶの値が固定であった。これに対して、この実施例の過電流検知回路４では、コンパレータ１６の反転入力と入力電源ＶＩＮ間には可変抵抗である電流制限値切替抵抗ＲＶが接続されている。電流制限値切替抵抗ＲＶは、具体的な構成は後述するが、ＬＥＤ駆動回路２０１のチャンネル選択回路２１によって選択されたＬＥＤアレイ３１〜３４の動作チャンネル数に応じて電流制限値を２段階または複数段階に切り替えることができるようになっている。
【００４１】
次に、昇降圧回路１０１Ａにおいて電流制限値を２段階に変更することができる電流制限値切替抵抗ＲＶの具体例を、図５を用いて説明する。図５に示される過電流検知回路４では、電流制限値切替抵抗ＲＶが、第１の抵抗Ｒ１と、第２の抵抗Ｒ２と電子スイッチＳＷ１の直列回路が、並列に接続された構成となっている。電子スイッチＳＷ１はトランジスタで構成されており、ＬＥＤ駆動回路２０１にあるチャンネル選択回路２１からの電流制限値切替信号によりオンオフされる。
【００４２】
図５に示した電流検知回路４では、電子スイッチＳＷ１がオフの時は、電流制限値切替抵抗ＲＶの値が第１の抵抗Ｒ１の抵抗値と同じになり、電子スイッチＳＷ１がオンの時は、電流制限値切替抵抗ＲＶの値が第１の抵抗Ｒ１と第２の抵抗Ｒ２を並列接続した抵抗値と同じになる。よって、電子スイッチＳＷ１がオンの時は、電子スイッチＳＷ１がオフの時よりも電流制限値切替抵抗ＲＶの値が小さくなる。このため、電子スイッチＳＷ１がオンの時は、大きな電流が電流制限値切替抵抗ＲＶに流れないとコンパレータ１６からは過電流検出信号が出ないが、電子スイッチＳＷ１がオフの時は、小さな電流でも電流制限値切替抵抗ＲＶの電圧降下が大きくなり、コンパレータ１６から過電流検出信号が出てＰＷＭ制御器１５に入力されることになる。
【００４３】
図５に示した過電流検知回路４の動作は図４（ｂ）に示した過電流検知回路３の動作と同じである。即ち、過電流検知回路４では、バックライト３０ＡのＬＥＤアレイを３〜４チャンネル動作させる場合の電流制限値をＩｌｉｍとすると、バックライト３０ＡのＬＥＤアレイを１〜２チャンネル動作させる場合の電流制限値をＩｌｉｍ／２に切り替えることができ、バックライト３０ＡのＬＥＤアレイ３１’〜３４’の動作チャンネル数に応じて電流制限値を切り替えることができる。なお、バックライト３０Ａには４チャンネルのＬＥＤアレイ３１’〜３４‘があるので、電子スイッチＳＷ１と抵抗の直列回路の数を増やして４段階以上に切り替えることも可能である。
【００４４】
図６は、本発明に係る第２の実施例のＬＥＤ制御装置８２である、ＬＥＤバックライト３０を駆動するための昇圧回路１０１とＬＥＤ駆動回路２０２の構成を示すものである。第２の実施例における昇圧回路１０１は第１の実施例と同じであり、液晶パネル４０の図示は省略してある。図６に示す第２の実施例のＬＥＤ制御装置８２が、図４（ａ）で説明した第１の実施例のＬＥＤ制御装置８１と異なる点は、昇圧回路１０１に設けられた過電流検知回路３にある電流制限値切替抵抗ＲＶへの電流制限値切替信号の与え方のみである。第１の実施例のＬＥＤ制御装置８１では、電流制限値切替抵抗ＲＶにはＬＥＤ駆動回路２０１のチャンネル選択回路２１によって選択されたＬＥＤアレイ３１〜３４の動作チャンネル数に応じた電流制限値切替信号が入力されていた。一方、第２の実施例のＬＥＤ制御装置８２では、電流制限値切替抵抗ＲＶにはＬＥＤ駆動回路２０２に設けられたＬＥＤ電流検知コンパレータ回路２４からの電流制限値切替信号が入力されている。
【００４５】
ここで、電流制限値を２段階に変更することができる電流制限値切替抵抗ＲＶの例を、図７を用いて説明する。図７における昇圧回路１０１の構成は、図４（ａ）で説明した昇圧回路１０１の構成と同じである。図７においては、図６に示される電流回路Ｉ１〜Ｉ４のうちの１つの電流回路Ｉ１の構成のみが詳細に示されている。電流回路Ｉ１は、コンパレータ３５、トランジスタ３６及び２つの抵抗Ｒｂ，Ｒｃ（抵抗値もＲｂ，Ｒｃで表す）を備えている。そして、抵抗Ｒｂにはカレントミラー回路９から電源が供給され、抵抗Ｒｂを流れる電流（ＩＲｂとする）により、抵抗Ｒｂの上流側の端子には電圧Ｖｂが発生する。電圧ＶｂはＬＥＤ電流検知コンパレータ回路２４のコンパレータ３７の非反転入力に与えられる。カレントミラー回路９からの電流は、電流回路Ｉ２〜Ｉ４にも供給される。
【００４６】
ＬＥＤ電流値設定回路２３は、基準電圧ＶＲａが非反転入力に与えられたコンパレータ２５、トランジスタ２６及び抵抗Ｒａ（抵抗値をＲａとする）を備えており、トランジスタ２６はカレントミラー回路９に電流を供給する。トランジスタ２６のドレイン電流（Ｉ２６とする）はＶＲａ／Ｒａであり、Ｒａによってカレントミラー回路９から電流回路Ｉ１〜Ｉ４に供給される電流値が決まる。
【００４７】
この構成により、カレントミラー回路９の各電流回路Ｉ１〜Ｉ４に対するミラー比が全て１：１なら、カレントミラー回路９から各電流回路Ｉ１〜Ｉ４には全て同じ電流が流れる。この時、Ｖｂ＝Ｒｂ×ＩＲｂ＝Ｒｂ×Ｉ２６＝Ｒｂ×ＶＲａ／Ｒａとなる。また、ＬＥＤ電流検知コンパレータ回路２４は、反転入力に基準電圧ＶＲｂが印加されたコンパレータ３７を備えており、このコンパレータ３７の非反転入力にはＬＥＤ電流回路Ｉ１の抵抗Ｒｂの上流側の電圧Ｖｂが印加されている。そして、コンパレータ３７の出力が電流制限値切替信号として昇圧回路１０１の過電流検知回路３の電子スイッチＳＷ１に入力される。
【００４８】
以上のように構成されたＬＥＤ制御装置８２では、ＬＥＤ電流値設定回路２３は抵抗Ｒａと基準電圧ＶＲａにより、トランジスタ２６にＩ２６＝ＶＲａ／Ｒａの電流が流れ、カレントミラー回路９の動作により電流回路Ｉ１の抵抗Ｒｂにも同じ電流が流れ、抵抗Ｒｂの両端に電圧値Ｖｂ＝ＶＲａ×Ｒｂ／Ｒａの電圧が発生する。電流回路Ｉ１は、抵抗Ｒｃを流れる電流をＩＲｃとして、ＩＲｃ＝Ｖｂ／Ｒｃ＝ＶＲａ×Ｒｂ／（Ｒａ×Ｒｃ）の電流を流してＬＥＤアレイ３１を駆動する。
【００４９】
ここで、ＬＥＤ駆動電流を変更する場合は、ＬＥＤ電流値設定回路２３の抵抗Ｒａの値を変更して、電圧Ｖｂの値を変化させる。そこで、電圧ＶｂをＬＥＤ電流検知コンパレータ回路２４にあるコンパレータ（電流制限値切替コンパレータ）３７で検知し、過電流検知回路３の電子スイッチＳＷ１のオンオフを切り替えて電流制限値を以下のように切り替える。即ち、（１）バックライトに流れる電流が大きいＶＲｂ＜Ｖｂ＝ＶＲａ×Ｒｂ／Ｒａの場合は、電子スイッチＳＷ１をオンさせ、電流制限値を大きくする。逆に、（２）バックライトに流れる電流が小さいＶＲｂ＞Ｖｂ＝ＶＲａ×Ｒｂ／Ｒａの場合は、電子スイッチＳＷ１をオフさせ、電流制限値を小さくする。
【００５０】
第２の実施例では、電流制限値切替抵抗ＲＶを２段階に切り替える例を説明したが、電流制限値切替コンパレータや電子スイッチを３個以上設け、電流制限値を３以上の複数段階で切り替えても良い。また、以上説明した第２の実施例では、昇圧回路１０１の構成及び動作を説明したが、第２の実施例でも昇降圧回路を使用することができる。
【００５１】
図８は、本発明に係る第３の実施例のＬＥＤ制御装置８３である、ＬＥＤバックライト３０を駆動するための昇圧回路１０２とＬＥＤ駆動回路２０３の構成を示すものである。第３の実施例でも液晶パネル４０の図示は省略してある。図８に示す第３の実施例のＬＥＤ制御装置８３が、図２で説明した従来のＬＥＤ制御装置８０と異なる点は、従来の昇圧回路１００に設けられた過電流検知回路１にあるコンパレータ１６の基準電圧ＶＡを、過電流検知回路５のコンパレータ１６では可変基準電圧ＶＲ１とした点である。即ち、従来のＬＥＤ制御装置８０では、過電流検知回路１のコンパレータ１６の基準電圧ＶＡが固定であったが、第３の実施例のＬＥＤ制御装置８３では、過電流検知回路５のコンパレータ１６の基準電圧ＶＲ１を、ＬＥＤアレイに流れる電流の大きさに応じて変更可能に構成している。
【００５２】
ここで、過電流検知回路５のコンパレータ１６の基準電圧ＶＲ１を、ＬＥＤアレイに流れる電流の大きさに応じて変更することができる具体的な回路例を、図９（ａ）を用いて説明する。図９（ａ）におけるＬＥＤ電流値設定回路２３の構成は、図７に示したＬＥＤ電流値設定回路２３の構成と同じであり、この実施例でもＬＥＤ電流値設定回路２３はカレントミラー回路９に接続されている。また、電流回路Ｉ１〜Ｉ４の構成も図７に示した電流回路Ｉ１〜Ｉ４の構成と同じである。よって、ＬＥＤ電流値設定回路２３と電流回路Ｉ１〜Ｉ４の説明は省略する。
【００５３】
一方、図９（ａ）に示す第３の実施例では、第２の実施例の図７に示したＬＥＤ電流検知コンパレータ回路２４が設けられておらず、カレントミラー回路９にもう１つの出力回路が設けられている。そして、第３の実施例のＬＥＤ制御装置８３では、ＬＥＤ電流値設定回路２３を流れる電流に対応する電流をカレントミラー回路９から取り出している。また、図２に示した従来の過電流検出回路１においてコンパレータ１６に基準電圧を与える電源ＶＡの代わりに、第３の実施例では過電流検出回路５にあるコンパレータ１６の反転入力端子とグランド間に抵抗Ｒｄが挿入されている。そして、カレントミラー回路９から取り出した電流が、過電流検知回路５の抵抗Ｒｄを流れるようになっている。この結果、過電流検知回路５の抵抗Ｒｄには、バックライト３０を流れる電流に比例した電流が流れ、抵抗Ｒｄを流れた電流によって発生した電圧ＶＲ１が、コンパレータ１６の反転入力端子に与えられる。
【００５４】
従って、第３の実施例では、ＬＥＤ電流値設定回路２３の抵抗Ｒａを変更すると、電流回路Ｉ１〜Ｉ４を流れる電流が変わり、バックライト３０のＬＥＤアレイの駆動電流が変わる。そして、ＬＥＤアレイ３０を流れる電流が大きくなると、過電流検知回路５の抵抗Ｒｄを流れる電流が大きくなって電圧降下が大きくなるので、コンパレータ１６から過電流検出信号が出力される場合の閾値が大きくなる。逆に、ＬＥＤアレイ３０を流れる電流が小さくなると、過電流検知回路５の抵抗Ｒｄを流れる電流が減って電圧降下が小さくなるので、コンパレータ１６から過電流検出信号が出力される場合の閾値が小さくなる。このため、第３の実施例では、電流制限値の値をＬＥＤ電流値設定回路２３の抵抗Ｒａの抵抗値に応じて変更することができる。また、以上説明した第３の実施例では、昇圧回路１０２の構成及び動作を説明したが、第３の実施例でも昇圧回路１０２の代わりに昇降圧回路を使用することができる。
【００５５】
図９（ｂ）は、図９（ａ）で説明した第３の実施例のＬＥＤ制御装置８３の変形例を示すものであり、第３の実施例のＬＥＤ制御装置８３と異なる部分の回路図のみを示している。第３の実施例のＬＥＤ制御装置８３では、ＬＥＤ電流値設定回路２３のコンパレータ２５の非反転入力に印加される基準電圧ＶＲ１が固定であった。一方、第３の実施例の変形例では、ＬＥＤ電流値設定回路２３のコンパレータ２５の非反転入力に印加される基準電圧ＶＲａを変更できるようにしている。即ち、変形例のＬＥＤ電流値設定回路２３は、ＤＣ調光機能を備えており、外部から与えるＤＣ電圧を変更することにより、過電流検知回路５の電流制限値が変更され、ＬＥＤの輝度が調整される。
【００５６】
図１０は、本発明に係る第４の実施例のＬＥＤ制御装置８４である、ＬＥＤバックライト３０を駆動するための昇圧回路１０１とＬＥＤ駆動回路２０４の構成を示すものである。第４の実施例の昇圧回路１０１は、第１と第２の実施例の昇圧回路１０１と同じもので良い。また、液晶パネル４０の図示は省略してある。
【００５７】
一方、第４の実施例のＬＥＤ制御装置８４では、昇圧回路１０１にある過電流検知回路３のコンパレータ１６の非反転入力とグランド間に接続された抵抗の値が、ＬＥＤ駆動回路２０４に設けられたデューティ検知回路２７からの電流制限値切替信号により、バックライト３０の輝度に応じて変更可能になっている。デューティ検知回路２７は、ＰＷＭ調光回路２２に接続しており、ＰＷＭ調光回路２２からスイッチＳ１〜Ｓ４に出力される駆動信号のデューティ比を検出し、例えば、デューティ比が所定値を超えた時に、電流制限値切替抵抗ＲＶに電流制限値切替信号を出力する。
【００５８】
ここで、第４の実施例の昇圧回路１０１における、電流制限値を２段階に変更することができる過電流検知回路３と、デューティ検知回路２７の具体的な回路構成例を図１１に示す。なお、第４の実施例の昇圧回路１０１における過電流検知回路３の具体的な回路構成は、図４に示した第１の実施例における過電流検知回路３の具体的な回路構成と同じで良いので、ここではデューティ検知回路２７の具体的な回路構成例のみを説明する。
【００５９】
ＬＥＤ駆動回路２０４に設けられたデューティ検知回路２７は、抵抗Ｒ４とコンデンサＣ４とから構成される積分回路２８と、積分回路２８の出力が入力されるヒステリシス付きコンパレータ２９とから構成される。ヒステリシス付きコンパレータ２９の反転入力には基準電圧ＶＲｂが印加されている。積分回路２８は、ＰＷＭ調光回路２２から出力されるデューティ信号を積分してＤＣ電圧Ｖｂに変替する。ヒステリシス付きコンパレータ２９はこのＤＣ電圧Ｖｂを基準電圧ＶＲｂと比較し、ＤＣ電圧Ｖｂが基準電圧ＶＲｂを越えると電流制限値切替信号を出して過電流検知回路３の電子スイッチＳＷ１をオンする。電子スイッチＳＷ１のオンオフによる昇圧回路１０１の動作は既に説明したので省略する。
【００６０】
この第４の実施例でも、バックライト３０には４チャンネルのＬＥＤアレイ３０があるので、電子スイッチＳＷ１と抵抗の直列回路の数を増やして電流制限値を４段階に切り替えることも可能である。また、以上説明した第４の実施例でも昇圧回路１０１に代えて昇降圧回路を使用することができる。
【００６１】
図１２（ａ）は本発明に係る第５の実施例のＬＥＤ制御装置８５である、ＬＥＤバックライト３０を駆動するための昇圧回路１０３とＬＥＤ駆動回路２０５の構成を示すものである。第５の実施例でも液晶パネル４０の図示は省略してある。第５の実施例におけるバックライト３０の構成は第１〜第４の実施例のバックライト３０と同じである。また、第５の実施例では、第１、第２、及び第４の実施例と同様に、昇圧回路１０３に過電流検知回路３が設けられている。一方、第５の実施例では、昇圧回路１０３の過電流検知回路３の前段に、電流制限値設定回路８が設けられている。そして、電流制限値設定回路８からの電流制限値切替信号により、過電流検知回路３の電流制限値が２段階、或いは３段階以上に切り替わる。
【００６２】
第５の実施例では、ＬＥＤ駆動回路２０５に、第１の実施例で説明したチャンネル選択数を出力することができるチャンネル選択回路２１、第２の実施例で説明したＬＥＤ電流検知コンパレータ２４、及び第４の実施例で説明したデューティ検知回路２７が設けられている。チャンネル選択回路２１、ＬＥＤ電流検知コンパレータ２４及びデューティ検知回路２７の具体的な構成は既に説明したのでここでは説明しない。チャンネル選択回路２１からのバックライトの動作チャンネル数、ＬＥＤ電流検知コンパレータ２４からのＬＥＤ電流設定値、及びデューティ検知回路２７からのデューティ比信号は、それぞれ昇圧回路１０３の電流制限値設定回路８に入力される。
【００６３】
ここで、チャンネル選択回路２１からのバックライトの動作チャンネル数、ＬＥＤ電流検知コンパレータ２４からのＬＥＤ電流設定値、及びデューティ検知回路２７からのデューティ比信号に応じて、電流制限値設定回路８が過電流検知回路３の電流制限値を３段階に切り替える制御を図１２（ｂ）を用いて説明する。過電流検知回路３の電流制限値を３段階に切り替える回路の具体例は、過電流検知回路３の電流制限値を２段階に切り替える回路と同様に構成できるので、ここでは具体的な回路の説明を省略する。なお、以下の説明において、符号”Ｈ”は信号レベルが規定値以上の場合を示し、符号”Ｌ”は信号レベルが規定値未満であることを示すものとする。
【００６４】
（１）バックライトの動作チャンネル数が１〜２チャンネルの場合
電流制限値設定回路８は過電流検知回路３の電流制限値を、ＬＥＤ電流検知コンパレータ２４とデューティ検知回路２７の出力が共に”Ｌ”の場合、或いはＬＥＤ電流検知コンパレータ２４とデューティ検知回路２７の出力の何れかが”Ｌ”の場合に最小にする。また、ＬＥＤ電流検知コンパレータ２４とデューティ検知回路２７の出力が共に”Ｈ”の場合は、電流制限値設定回路８は過電流検知回路３の電流制限値を中程度にする。
【００６５】
（２）バックライトの動作チャンネル数が３〜４チャンネルの場合
電流制限値設定回路８は過電流検知回路３の電流制限値を、ＬＥＤ電流検知コンパレータ２４とデューティ検知回路２７の出力が共に”Ｌ”の場合は最小にし、ＬＥＤ電流検知コンパレータ２４とデューティ検知回路２７の出力の何れかが”Ｌ”の場合は中程度にする。また、ＬＥＤ電流検知コンパレータ２４とデューティ検知回路２７の出力が共に”Ｈ”の場合は、電流制限値設定回路８は過電流検知回路３の電流制限値を最大にする。
【００６６】
第５の実施例でも、バックライト３０には４チャンネルのＬＥＤアレイ３０があるので、電子スイッチＳＷ１と抵抗の直列回路の数を増やして電流制限値を４段階に切り替えることも可能である。また、以上説明した第５の実施例では、昇圧回路１０３の代わりに昇降圧回路を使用することができる。
【００６７】
以上説明した第１〜第５の実施例のＬＥＤ駆動回路８１〜８５並びに変形例のＬＥＤ駆動回路８１Ａは、１つの集積回路の中に組み込むことが可能である。また、第２〜第５の実施例のＬＥＤ駆動回路８２〜８５に対しても第１の実施例の変形例と同様の変形例が可能である。そして、以上説明した第１〜第５の実施例のＬＥＤ駆動回路８１〜８５は、１つの集積回路の中に組み込んだ後に、車載ディスプレー機器、例えば、ナビゲーション装置に搭載することが可能である。
【符号の説明】
【００６８】
１〜５    過電流検知回路
８    電流制限値設定回路
９    カレントミラー回路
１０、１００〜１０３    昇圧回路
１０Ｅ    電源供給端子
１５    ＰＷＭ制御器
２０、２００〜２０５    ＬＥＤ駆動回路
２１    チャンネル選択回路
２２    ＰＷＭ調光回路
２３    ＬＥＤ電流値設定回路
２４    ＬＥＤ電流検出コンパレータ回路
２７    デューティ検出回路
２８    積分回路
３０、３０Ａ    バックライト
３１〜３４、３１’〜３４’    ＬＥＤアレイ
４０    液晶パネル
５０    液晶表示装置
８０〜８５    本発明のＬＥＤ制御装置
１００Ａ、１０１Ａ    昇降圧回路
【図１】
2011216663.tif 000003
【図２】
2011216663.tif 000004
【図３】
2011216663.tif 000005
【図４】
2011216663.tif 000006
【図５】
2011216663.tif 000007
【図６】
2011216663.tif 000008
【図７】
2011216663.tif 000009
【図８】
2011216663.tif 000010
【図９】
2011216663.tif 000011
【図１０】
2011216663.tif 000012
【図１１】
2011216663.tif 000013
【図１２】
2011216663.tif 000014